【手続補正書】
【提出日】平成20年12月19日(2008.12.19)
【手続補正１】
【補正対象書類名】特許請求の範囲
【補正対象項目名】全文
【補正方法】変更
【補正の内容】
【特許請求の範囲】
【請求項１】
特定のデータ処理装置が接続されている第１のネットワークと、当該第１のネットワークとは異なる第２のネットワークとのそれぞれに接続することが可能な複数の接続手段と、
前記特定のデータ処理装置のアドレス情報を記憶する第１の記憶手段と、
前記複数の接続手段のうち、前記第１の記憶手段に記憶されたアドレス情報が送信元アドレスとなったデータを受信した接続手段を、前記第１のネットワークに接続された接続手段であると決定し、当該接続手段に対して前記特定のデータ処理装置と通信するための設定を行う設定手段と、
を備えることを特徴とする情報処理装置。
【請求項２】
前記特定のデータ処理装置から前記情報処理装置宛てにデータを送信する際に、当該データの宛先アドレスとして使用されるべきアドレス情報を記憶する第２の記憶手段を更に備え、
前記設定手段は、前記第１のネットワークに接続された接続手段であると決定された接続手段に、前記第２の記憶手段に記憶されたアドレス情報を設定することを特徴とする請求項１に記載の情報処理装置。
【請求項３】
前記第２のネットワークに接続された接続手段のアドレスとして設定されるべきアドレス情報を記憶する第３の記憶手段を更に備え、
前記設定手段は更に、前記複数の接続手段のうち、前記第１のネットワークに接続された接続手段であると決定された接続手段とは異なる接続手段を、前記第２のネットワークに接続された接続手段であると決定し、当該接続手段に、前記第３の記憶手段に記憶されたアドレス情報を設定することを特徴とする請求項１または２に記載の情報処理装置。
【請求項４】
前記第１の記憶手段に記憶されたアドレス情報が送信元アドレスとなったデータとは、前記特定のデータ処理装置からブロードキャスト送信されたデータであることを特徴とする請求項１から３のいずれか１項に記載の情報処理装置。
【請求項５】
前記第２のネットワークを介して受信した印刷データを前記特定のデータ処理装置が解釈可能なデータに変換する変換手段を更に備え、
前記第２のネットワークに接続された接続手段は、前記第２のネットワークを介して印刷データを受信し、前記第１のネットワークに接続された接続手段は、前記変換手段により変換されたデータを前記第１のネットワークを介して前記特定のデータ処理装置に送信することを特徴とする請求項１から４のいずれか１項に記載の情報処理装置。
【請求項６】
特定のデータ処理装置が接続されている第１のネットワークと、当該第１のネットワークとは異なる第２のネットワークとのそれぞれに接続することが可能な複数の接続手段を備えた情報処理装置における情報処理方法であって、
前記特定のデータ処理装置のアドレス情報を記憶媒体に記憶する第１の記憶工程と、
前記複数の接続手段のうち、前記第１の記憶工程で記憶されたアドレス情報が送信元アドレスとなったデータを受信した接続手段を、前記第１のネットワークに接続された接続手段であると決定し、当該接続手段に対して前記特定のデータ処理装置と通信するための設定を行う設定工程と、
を備えることを特徴とする情報処理方法。
【請求項７】
前記特定のデータ処理装置から前記情報処理装置宛てにデータを送信する際に、当該データの宛先アドレスとして使用されるべきアドレス情報を記憶媒体に記憶する第２の記憶工程を更に備え、
前記設定工程では、前記第１のネットワークに接続された接続手段であると決定された接続手段に、前記第２の記憶工程で記憶されたアドレス情報を設定することを特徴とする請求項６に記載の情報処理方法。
【請求項８】
前記第２のネットワークに接続された接続手段のアドレスとして設定されるべきアドレス情報を記憶媒体に記憶する第３の記憶工程を更に備え、
前記設定工程では更に、前記複数の接続手段のうち、前記第１のネットワークに接続された接続手段であると決定された接続手段とは異なる接続手段を、前記第２のネットワークに接続された接続手段であると決定し、当該接続手段に、前記第３の記憶工程で記憶されたアドレス情報を設定することを特徴とする請求項６または７に記載の情報処理方法。
【請求項９】
前記第１の記憶工程で記憶されたアドレス情報が送信元アドレスとなったデータとは、前記特定のデータ処理装置からブロードキャスト送信されたデータであることを特徴とする請求項６から８のいずれか１項に記載の情報処理方法。
【請求項１０】
前記第２のネットワークを介して受信した印刷データを前記特定のデータ処理装置が解釈可能なデータに変換する変換工程を更に備え、
前記第２のネットワークに接続された接続手段は、前記第２のネットワークを介して印刷データを受信し、前記第１のネットワークに接続された接続手段は、前記変換工程で変換されたデータを前記第１のネットワークを介して前記特定のデータ処理装置に送信することを特徴とする請求項６から９のいずれか１項に記載の情報処理方法。
【請求項１１】
請求項６から１０のいずれか１項に記載の情報処理方法をコンピュータに実行させるためのプログラム。
【請求項１２】
請求項６から１０のいずれか１項に記載の情報処理方法をコンピュータに実行させるためのプログラムを記憶したコンピュータ読み取り可能な記憶媒体。
【手続補正２】
【補正対象書類名】明細書
【補正対象項目名】発明の名称
【補正方法】変更
【補正の内容】
【発明の名称】情報処理装置、情報処理方法、プログラム、及び記憶媒体
【手続補正３】
【補正対象書類名】明細書
【補正対象項目名】０００１
【補正方法】変更
【補正の内容】
【０００１】
特定のデータ処理装置が接続されている第１のネットワークと、当該第１のネットワークとは異なる第２のネットワークとのそれぞれに接続することが可能な複数の接続手段を備えた情報処理装置、当該情報処理装置における情報処理方法、プログラム、記憶媒体に関する。
【手続補正４】
【補正対象書類名】明細書
【補正対象項目名】０００７
【補正方法】変更
【補正の内容】
【０００７】
本発明に係わる情報処理装置は、特定のデータ処理装置が接続されている第１のネットワークと、当該第１のネットワークとは異なる第２のネットワークとのそれぞれに接続することが可能な複数の接続手段と、前記特定のデータ処理装置のアドレス情報を記憶する第１の記憶手段と、前記複数の接続手段のうち、前記第１の記憶手段に記憶されたアドレス情報が送信元アドレスとなったデータを受信した接続手段を、前記第１のネットワークに接続された接続手段であると決定し、当該接続手段に対して前記特定のデータ処理装置と通信するための設定を行う設定手段と、を備えることを特徴とする。
【手続補正５】
【補正対象書類名】明細書
【補正対象項目名】０００８
【補正方法】変更
【補正の内容】
【０００８】
また、本発明に係わる情報処理方法は、特定のデータ処理装置が接続されている第１のネットワークと、当該第１のネットワークとは異なる第２のネットワークとのそれぞれに接続することが可能な複数の接続手段を備えた情報処理装置における情報処理方法であって、前記特定のデータ処理装置のアドレス情報を記憶媒体に記憶する第１の記憶工程と、前記複数の接続手段のうち、前記第１の記憶工程で記憶されたアドレス情報が送信元アドレスとなったデータを受信した接続手段を、前記第１のネットワークに接続された接続手段であると決定し、当該接続手段に対して前記特定のデータ処理装置と通信するための設定を行う設定工程と、を備えることを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】